(57)【要約】【課題】燃料タンク装置において、水害に対して破損や流出を防止して安全性の向上を図る。【解決手段】地盤１０に立設されたガイド円筒１１と、このガイド円筒１１に沿って昇降自在に支持される燃料タンク１２と、地盤１０の水位上昇に応じて燃料タンク１２を上昇させる上昇装置とを設け、この上昇装置を、燃料タンク１２の内部に収容される燃料と空気により、この燃料タンク１２の比重が水より小さくなって浮力が発生するように構成する。【選択図】図１
2013047112.tif 000002
【特許請求の範囲】
【請求項１】
地盤に立設されたガイド部材と、
前記ガイド部材に沿って昇降自在に支持される燃料タンクと、
前記地盤の水位上昇に応じて前記燃料タンクを上昇させる上昇装置と、
を備えることを特徴とする燃料タンク装置。
【請求項２】
前記上昇装置は、前記燃料タンクの比重が水より小さく設定されることで発生する浮力を有することを特徴とする請求項１に記載の燃料タンク装置。
【請求項３】
前記ガイド部材は、内面で前記燃料タンクの外面を移動自在に支持するガイド筒を有することを特徴とする請求項１または２に記載の燃料タンク装置。
【請求項４】
前記ガイド筒は、下部に水が浸入可能な開口部を有することを特徴とする請求項３に記載の燃料タンク装置。
【請求項５】
前記燃料タンクは、前記開口部より上方に支持されることを特徴とする請求項４に記載の燃料タンク装置。
【請求項６】
前記ガイド部材は、前記燃料タンクの外面を移動自在に支持する複数のガイド柱を有することを特徴とする請求項１または２に記載の燃料タンク装置。
【請求項７】
前記ガイド部材の上部に発電機が配置され、前記燃料タンクと前記発電機がフレキシブル配管により連結されることを特徴とする請求項１から６のいずれかひとつに記載の燃料タンク装置。
【請求項８】
前記燃料タンクと一体に発電機が配置され、前記燃料タンクと前記発電機が配管により連結されることを特徴とする請求項１から６のいずれかひとつに記載の燃料タンク装置。
【請求項９】
前記ガイド部材と前記燃料タンクとの間に両者を相対移動自在とするガイドローラが設けられることを特徴とする請求項１から８のいずれかひとつに記載の燃料タンク装置。
【請求項１０】
前記上昇装置は、前記燃料タンクに浮力を付与するエアタンクを有することを特徴とする請求項１から９のいずれかひとつに記載の燃料タンク装置。
【請求項１１】
前記上昇装置は、前記燃料タンクを上昇させる牽引装置を有することを特徴とする請求項１から１０のいずれかひとつに記載の燃料タンク装置。
【発明の詳細な説明】
【技術分野】
【０００１】
本発明は、各種のプラントなどに設置される燃料タンク装置に関するものである。
【背景技術】
【０００２】
原子力発電プラントや火力発電プラントなどでは、常用の外部電源が喪失されたときに、プラント内に電力を供給するための非常用発電設備が設けられている。このような非常用発電設備としては、下記特許文献１に記載されたものがある。
【０００３】
特許文献１に記載された非常用ディーゼル発電設備は、ディーゼル機関と、発電機と、始動空気系と、燃料油系と、冷却水系と、潤滑油系となどから構成されている。
【先行技術文献】
【特許文献】
【０００４】
【特許文献１】特開２００９−１７４３４７号公報
【発明の概要】
【発明が解決しようとする課題】
【０００５】
発電用プラントでは、ガスタービン、蒸気タービン、ボイラ、原子炉、常用外部電源、非常用発電設備などが所定の建屋に収容されているが、燃料タンクは外部に設置されるのが一般的である。このような状況下で、水害、例えば、津波や河川氾濫などが発生した場合、燃料タンクが破損したり、流出してしまったりして、非常用の発電機を作動させることが困難となってしまうおそれがある。
【０００６】
本発明は、上述した課題を解決するものであり、水害に対して破損や流出を防止して安全性の向上を図った燃料タンク装置を提供することを目的とする。
【課題を解決するための手段】
【０００７】
上記の目的を達成するための本発明の燃料タンク装置は、地盤に立設されたガイド部材と、前記ガイド部材に沿って昇降自在に支持される燃料タンクと、前記地盤の水位上昇に応じて前記燃料タンクを上昇させる上昇装置と、を備えることを特徴とするものである。
【０００８】
従って、地盤の水位上昇に応じて上昇装置により燃料タンクをガイド部材に沿って上昇させることから、水害に対して燃料タンクの破損や流出を防止することができ、安全性の向上を図ることができる。
【０００９】
本発明の燃料タンク装置では、前記上昇装置は、前記燃料タンクの比重が水より小さく設定されることで発生する浮力を有することを特徴としている。
【００１０】
従って、燃料タンクの比重を水より小さく設定して浮力を発生させることで、地盤の水位上昇に応じて燃料タンクを容易に上昇させることができる。
【００１１】
本発明の燃料タンク装置では、前記ガイド部材は、内面で前記燃料タンクの外面を移動自在に支持するガイド筒を有することを特徴としている。
【００１２】
従って、ガイド部材をガイド筒として内部に燃料タンクを配置することで、構造物として十分な強度を確保して耐久性を向上することができる。
【００１３】
本発明の燃料タンク装置では、前記ガイド筒は、下部に水が浸入可能な開口部を有することを特徴としている。
【００１４】
従って、ガイド筒の下部に開口部を設けることで、地盤の水位上昇に対してこの水を開口部からガイド筒内に導くことができ、適正に上昇装置により燃料タンクを上昇させることができる。
【００１５】
本発明の燃料タンク装置では、前記燃料タンクは、前記開口部より上方に支持されることを特徴としている。
【００１６】
従って、開口部より上方に燃料タンクを配置することで、水による押上げ作用を燃料タンクに効果的に付与することで、この燃料タンクを適正に上昇させることができる。
【００１７】
本発明の燃料タンク装置では、前記ガイド部材は、前記燃料タンクの外面を移動自在に支持する複数のガイド柱を有することを特徴としている。
【００１８】
従って、ガイド部材を複数のガイド柱とすることで、ガイド部材に対する水の抵抗を軽減することで、構造物としての簡素化を可能とすることができる。
【００１９】
本発明の燃料タンク装置では、前記ガイド部材の上部に発電機が配置され、前記燃料タンクと前記発電機がフレキシブル配管により連結されることを特徴としている。
【００２０】
従って、ガイド部材の上部に発電機を配置することで、水害に対して燃料タンクだけでなく発電機の破損や流出も防止することができ、また、両者をフレキシブル配管により連結することで、常時燃料タンクの燃料を発電機に供給し、この発電機を作動することができる。
【００２１】
本発明の燃料タンク装置では、前記燃料タンクと一体に発電機が配置され、前記燃料タンクと前記発電機が配管により連結されることを特徴としている。
【００２２】
従って、水害に対して燃料タンクだけでなく発電機の破損や流出も防止することができ、また、両者を配管により連結することで、常時燃料タンクの燃料を発電機に供給し、この発電機を作動することができる。
【００２３】
本発明の燃料タンク装置では、前記ガイド部材と前記燃料タンクとの間に両者を相対移動自在とするガイドローラが設けられることを特徴としている。
【００２４】
従って、燃料タンクがガイドローラによりガイド部材に対して昇降することとなり、両者の移動抵抗を軽減して水位上昇に対して燃料タンクを適正に上昇することができる。
【００２５】
本発明の燃料タンク装置では、前記上昇装置は、前記燃料タンクに浮力を付与するエアタンクを有することを特徴としている。
【００２６】
従って、上昇装置としてエアタンクを設けることで、水位上昇に対して燃料タンクを効果的に上昇することができる。
【００２７】
本発明の燃料タンク装置では、前記上昇装置は、前記燃料タンクを上昇させる牽引装置を有することを特徴としている。
【００２８】
従って、上昇装置として牽引装置を設けることで、水位上昇に対して燃料タンクを確実に上昇することができる。
【発明の効果】
【００２９】
本発明の燃料タンク装置によれば、地盤に立設されたガイド部材と、ガイド部材に沿って昇降自在に支持される燃料タンクと、地盤の水位上昇に応じて燃料タンクを上昇させる上昇装置とを設けるので、水害に対して燃料タンクの破損や流出を防止することができ、安全性の向上を図ることができる。
【図面の簡単な説明】
【００３０】
【図１】図１は、本発明の実施例１に係る燃料タンク装置を表す正面図である。
【図２】図２は、実施例１の燃料タンク装置を表す平面図である。
【図３】図３は、実施例１の燃料タンク装置における作用を表す正面図である。
【図４】図４は、本発明の実施例２に係る燃料タンク装置を表す正面図である。
【図５】図５は、本発明の実施例３に係る燃料タンク装置を表す正面図である。
【図６】図６は、本発明の実施例４に係る燃料タンク装置を表す正面図である。
【図７】図７は、本発明の実施例５に係る燃料タンク装置を表す正面図である。
【図８】図８は、本発明の実施例６に係る燃料タンク装置を表す正面図である。
【図９】図９は、本発明の実施例７に係る燃料タンク装置を表す正面図である。
【図１０】図１０は、本発明の実施例８に係る燃料タンク装置を表す正面図である。
【図１１】図１１は、実施例８の燃料タンク装置を表す平面図である。
【発明を実施するための形態】
【００３１】
以下に添付図面を参照して、本発明に係る燃料タンク装置の好適な実施例を詳細に説明する。なお、この実施例により本発明が限定されるものではなく、また、実施例が複数ある場合には、各実施例を組み合わせて構成するものも含むものである。
【実施例１】
【００３２】
図１は、本発明の実施例１に係る燃料タンク装置を表す正面図、図２は、実施例１の燃料タンク装置を表す平面図、図３は、実施例１の燃料タンク装置における作用を表す正面図である。
【００３３】
実施例１の燃料タンク装置は、図１及び図２に示すように、地盤１０に立設されたガイド部材としてのガイド円筒１１と、このガイド円筒１１に沿って昇降自在に支持される燃料タンク１２と、地盤１０の水位上昇に応じて燃料タンク１２を上昇させる上昇装置とから構成されている。
【００３４】
ガイド円筒１１は、円筒形状をなし、地盤１０上に鉛直方向に沿って設置されており、外周部が複数（本実施例では、４つ）の補強部材２１により支持されている。燃料タンク１２は、円筒の上下部が閉塞された中空の密閉構造をなし、外面部がガイド円筒１１の内面部に支持されている。この場合、燃料タンク１２は、外径がガイド円筒１１の内径より小さく設定されることで、このガイド円筒１１に沿って昇降自在に支持されている。
【００３５】
ガイド円筒１１は、下部の内面にリング形状をなすフランジ部２２が固定されると共に、このフランジ部２２の下方に複数の開口部２３が周方向に均等間隔で形成されている。燃料タンク１２は、下端部がこのフランジ部２２に載置するように支持されることで、この燃料タンク１２より下方に複数の開口部２３が位置することとなる。
【００３６】
そして、実施例１の上昇装置は、燃料タンク１２の比重が水より小さく設定されることで発生する浮力を有している。即ち、燃料タンク１２は、例えば、鉄製であるものの、内部に収容する燃料及び空気により、水に対して浮力が発生するように構成されている。燃料タンク１２に収容される燃料は、例えば、石油、ガソリン、ＬＰＧ（液化石油ガス）、ＬＮＧ（液化天然ガス）などであり、少なくとも水よりも比重が小さい。また、燃料タンク１２は、内部に燃料とは別に空気が残留している。従って、燃料タンク１２は、内部に収容されている燃料と空気により水に対して浮力が発生することができる。この場合、燃料タンク１２は、防水処理を施しておくことが好ましい。
【００３７】
また、燃料タンク１２は、図示しない燃料注入部と燃料排出部が設けられており、燃料排出部がフレキシブル配管２４によりガイド円筒１１の外部に設置された発電機（図示略）に連結されている。なお、燃料タンク１２またはフレキシブル配管２４に燃料供給ポンプ（図示略）が設けられている。
【００３８】
従って、実施例１の燃料タンク装置は、図１に示すように、地盤１０に水が浸入していない状態では、燃料タンク１２がガイド円筒１１内で、フランジ部２２に載置された位置で停止している。そのため、この状態で、燃料タンク１２は、内部の燃料がフレキシブル配管２４を通して発電機に供給可能となっている。
【００３９】
一方、図３に示すように、地盤１０に水が浸入すると、この水は複数の開口部２３からガイド円筒１１内に浸入し、この開口部２３より上方に位置する燃料タンク１２の下部に圧力として作用する。この場合、燃料タンク１２は、内部に収容された燃料と空気により水に対する浮力が発生することから、地盤１０の水位上昇、つまり、ガイド円筒１１内の水位上昇に応じて上昇することとなる。そのため、燃料タンク１２は、ガイド円筒１１内で上昇した位置に保持され、燃料タンク１２は、内部の燃料をフレキシブル配管２４から発電機に供給することができる。
【００４０】
その後、地盤１０に水がなくなると、ガイド円筒１１内の水が複数の開口部２３から外部に排出され、燃料タンク１２は、ガイド円筒１１内の水位低下に応じて下降することとなり、下部がフランジ部２２に載置された位置で停止する。
【００４１】
なお、地盤１０に水が浸入する環境変化としては、津波、河川の氾濫、大雨などが考えられ、燃料タンク装置が設置される場所や環境などに応じてガイド円筒１１の高さを考慮する必要がある。
【００４２】
このように実施例１の燃料タンク装置にあっては、地盤１０に立設されたガイド円筒１１と、このガイド円筒１１に沿って昇降自在に支持される燃料タンク１２と、地盤１０の水位上昇に応じて燃料タンク１２を上昇させる上昇装置とを設け、この上昇装置を、燃料タンク１２の内部に収容される燃料と空気により、この燃料タンク１２の比重が水より小さくなって浮力が発生するように構成している。
【００４３】
従って、燃料タンク１２は、地盤１０の水位上昇に応じてそれ自体の浮力によりガイド円筒１１に沿って上昇する。そのため、津波、河川の氾濫、大雨などの水害が発生しても、燃料タンク１２は、ガイド円筒１１内で水に浮かんで保持されることから、この燃料タンク１２の破損や流出などを防止することができ、安全性の向上を図ることができる。
【００４４】
また、実施例１の燃料タンク装置では、上昇装置を、燃料タンク１２自体の比重を水より小さく設定することで浮力が発生するように構成している。従って、別途、装置を設けることなく、地盤１０の水位上昇に応じて燃料タンク１２を上昇させることができ、装置の大型化を抑制することができる。
【００４５】
また、実施例１の燃料タンク装置では、燃料タンク１２の外面をガイド円筒１１の内面により移動自在に支持している。従って、ガイド円筒１１の内部に燃料タンク１２を配置することで、全体としての構造物に対して、十分な強度を確保して耐久性を向上することができる。
【００４６】
また、実施例１の燃料タンク装置では、ガイド円筒１１の下部に水が浸入可能な開口部２３を設けている。従って、地盤１０の水位上昇に対して、この水を開口部２３からガイド円筒１１内に導くことができ、水圧を適正に燃料タンク１２の下部に圧力として作用させることで、この燃料タンク１２を適正に上昇させることができる。
【００４７】
また、実施例１の燃料タンク装置では、燃料タンク１２をガイド円筒１１のフランジ部２２により開口部２３より上方に支持している。従って、開口部２３からガイド円筒１１内に導かれた水を適正に燃料タンク１２の下部に圧力として作用させることで、水による押上げ作用を燃料タンク１２に効果的に付与することで、この燃料タンク１２を適正に上昇させることができる。
【実施例２】
【００４８】
図４は、本発明の実施例２に係る燃料タンク装置を表す正面図である。なお、上述した実施例と同様の機能を有する部材には、同一の符号を付して詳細な説明は省略する。
【００４９】
実施例２の燃料タンク装置は、図４に示すように、ガイド円筒１１と、燃料タンク１２と、上昇装置として燃料タンク１２の内部に収容される燃料と空気によって発生する浮力とから構成している。
【００５０】
そして、ガイド円筒１１は、上端部に支持台３１が固定され、補強部材３２により支持されており、この支持台３１上に発電機３３が配置されている。燃料タンク１２は、図示しない燃料注入部と燃料排出部が設けられており、燃料排出部がフレキシブル配管３４により発電機３３に連結されている。なお、燃料タンク１２、発電機３３、フレキシブル配管３４のいずれかに燃料供給ポンプ（図示略）が設けられている。
【００５１】
従って、地盤１０に水が浸入していない状態では、燃料タンク１２がガイド円筒１１内で、フランジ部２２に載置された位置で停止している。そのため、この状態で、燃料タンク１２は、内部の燃料がフレキシブル配管３４を通して発電機３３に供給可能となっている。
【００５２】
一方、地盤１０に水が浸入すると、この水は複数の開口部２３からガイド円筒１１内に浸入し、この開口部２３より上方に位置する燃料タンク１２の下部に圧力として作用する。この場合、燃料タンク１２は、内部に収容された燃料と空気により水に対する浮力が発生することから、地盤１０の水位上昇、つまり、ガイド円筒１１内の水位上昇に応じて上昇することとなる。そのため、燃料タンク１２は、ガイド円筒１１内で上昇した位置に保持される。このとき、燃料タンク１２はフレキシブル配管３４により発電機３３に連結されていることから、燃料タンク１２が上昇しても、フレキシブル配管３４が変形するだけで、この連結状態は維持される。そのため、この状態で、燃料タンク１２は、内部の燃料をフレキシブル配管３４から発電機３３に供給することができる。
【００５３】
このように実施例２の燃料タンク装置にあっては、地盤１０に立設されたガイド円筒１１と、このガイド円筒１１に沿って昇降自在に支持される燃料タンク１２とを設けると共に、燃料タンク１２内の燃料と空気によりこの燃料タンク１２に浮力を発生させることで、地盤１０の水位上昇に応じて燃料タンク１２を上昇可能とすると共に、ガイド円筒１１の上部に発電機３３を配置し、燃料タンク１２と発電機３３をフレキシブル配管３４により連結している。
【００５４】
従って、燃料タンク１２は、地盤１０の水位上昇に応じてそれ自体の浮力によりガイド円筒１１に沿って上昇する。そのため、津波、河川の氾濫、大雨などの水害が発生しても、燃料タンク１２はガイド円筒１１内で水に浮かんで保持されると共に、発電機３３はガイド円筒１１の上部に支持されることから、この燃料タンク１２の破損や流出などを防止することができ、安全性の向上を図ることができる。
【００５５】
また、燃料タンク１２は、フレキシブル配管３４を通して発電機３３に連結されているため、燃料タンク１２が上昇しても、フレキシブル配管３４が変形するだけで、この連結状態は維持され、燃料タンク１２の燃料をフレキシブル配管３４により常時発電機３３に供給することができ、必要に応じてこの発電機３３を作動することができる。
【実施例３】
【００５６】
図５は、本発明の実施例３に係る燃料タンク装置を表す正面図である。なお、上述した実施例と同様の機能を有する部材には、同一の符号を付して詳細な説明は省略する。
【００５７】
実施例３の燃料タンク装置は、図５に示すように、ガイド円筒１１と、燃料タンク１２と、上昇装置として燃料タンク１２の内部に収容される燃料と空気によって発生する浮力とから構成している。
【００５８】
ガイド円筒１１は、内部に燃料タンク１２が配置され、この燃料タンク１２は、このガイド円筒１１に沿って昇降自在に支持されている。この場合、燃料タンク１２は、外周部に複数のガイドローラ５１が装着され、ガイド円筒１１の内面を上下に転動可能となっている。この複数のガイドローラ５１は、燃料タンク１２における水平な周方向に均等間隔をもって装着されると共に、鉛直方向に沿って装着されている。なお、ガイド円筒１１の内面に複数のガイドローラを設け、この複数のガイドローラにより内部の燃料タンク１２を昇降自在に支持してもよい。
【００５９】
そして、燃料タンク１２は、上部に発電機３３が配置されている。燃料タンク１２は、図示しない燃料注入部と燃料排出部が設けられており、燃料排出部が配管５２により発電機３３に連結されている。なお、燃料タンク１２、発電機３３、配管５２のいずれかに燃料供給ポンプ（図示略）が設けられている。
【００６０】
なお、実施例３の上昇装置は、燃料タンク１２及び発電機３３の比重が水より小さく設定されることで発生する浮力を有している。即ち、燃料タンク１２は、内部に収容する燃料及び空気により、水に対して浮力が発生するように構成されている。
【００６１】
従って、地盤１０に水が浸入していない状態では、燃料タンク１２がガイド円筒１１内で、フランジ部２２に載置された位置で停止している。そのため、この状態で、燃料タンク１２は、内部の燃料が配管５２を通して発電機３３に供給可能となっている。
【００６２】
一方、地盤１０に水が浸入すると、この水は複数の開口部２３からガイド円筒１１内に浸入し、この開口部２３より上方に位置する燃料タンク１２の下部に圧力として作用する。この場合、燃料タンク１２は、内部に収容された燃料と空気により水に対する浮力が発生することから、地盤１０の水位上昇、つまり、ガイド円筒１１内の水位上昇に応じて発電機３３と共に上昇することとなる。そのため、燃料タンク１２及び発電機３３は、ガイド円筒１１内で上昇した位置に保持される。このとき、燃料タンク１２と発電機３３が一体に上昇することから、両者の連結状態は維持される。そのため、この状態で、燃料タンク１２は、内部の燃料を配管５２から発電機３３に供給することができる。
【００６３】
このように実施例３の燃料タンク装置にあっては、地盤１０に立設されたガイド円筒１１と、このガイド円筒１１に沿って昇降自在に支持される燃料タンク１２及び発電機３３とを設けると共に、燃料タンク１２内の燃料と空気によりこの燃料タンク１２と発電機３３に浮力を発生させることで、地盤１０の水位上昇に応じて燃料タンク１２と発電機３３を上昇可能としている。
【００６４】
従って、燃料タンク１２及び発電機３３は、地盤１０の水位上昇に応じてそれ自体の浮力によりガイド円筒１１に沿って上昇する。そのため、津波、河川の氾濫、大雨などの水害が発生しても、燃料タンク１２及び発電機３３はガイド円筒１１内で水に浮かんで保持されることから、この燃料タンク１２及び発電機３３の破損や流出などを防止することができ、安全性の向上を図ることができる。
【００６５】
また、実施例３の燃料タンク装置では、燃料タンク１２の外周部に複数のガイドローラ５１を装着し、燃料タンク１２をこの複数のガイドローラ５１によりガイド円筒１１の内面に沿って昇降自在に支持している。従って、燃料タンク１２がガイド円筒１１内を昇降するとき、ガイドローラ５１により両者の移動抵抗を軽減され、水位上昇に対して燃料タンク１２を適正に上昇することができる。
【実施例４】
【００６６】
図６は、本発明の実施例４に係る燃料タンク装置を表す正面図である。なお、上述した実施例と同様の機能を有する部材には、同一の符号を付して詳細な説明は省略する。
【００６７】
実施例４の燃料タンク装置は、図６に示すように、ガイド円筒１１と、燃料タンク１２と、上昇装置として燃料タンク１２の内部に収容される燃料と空気によって発生する浮力とから構成している。
【００６８】
ガイド円筒１１は、内部に燃料タンク１２が配置され、この燃料タンク１２は、このガイド円筒１１に沿って昇降自在に支持されている。燃料タンク１２は、下部に複数の脚部６１が固定され、地盤１０に支持可能となっている。一方、ガイド円筒１１は、下部に複数の開口部２３が周方向に均等間隔で形成されている。燃料タンク１２は、ガイド円筒１１内で複数の脚部６１により地盤１０に支持されることで、この燃料タンク１２より下方に複数の開口部２３が位置することとなる。
【００６９】
従って、地盤１０に水が浸入していない状態では、燃料タンク１２がガイド円筒１１内で、各脚部６１により地盤１０に支持された位置で停止している。そのため、この状態で、燃料タンク１２は、内部の燃料がフレキシブル配管２４から発電機に供給可能となっている。
【００７０】
一方、地盤１０に水が浸入すると、この水は複数の開口部２３からガイド円筒１１内に浸入し、この開口部２３より上方に位置する燃料タンク１２の下部に圧力として作用する。この場合、燃料タンク１２は、内部に収容された燃料と空気により水に対する浮力が発生することから、地盤１０の水位上昇、つまり、ガイド円筒１１内の水位上昇に応じて上昇することとなる。そのため、燃料タンク１２は、ガイド円筒１１内で上昇した位置に保持される。
【００７１】
このように実施例４の燃料タンク装置にあっては、地盤１０に立設されたガイド円筒１１と、このガイド円筒１１に沿って昇降自在に支持される燃料タンク１２と、地盤１０の水位上昇に応じて燃料タンク１２を上昇させる上昇装置とを設け、この上昇装置を、燃料タンク１２の内部に収容される燃料と空気により、この燃料タンク１２の比重が水より小さくなって浮力が発生するように構成している。
【００７２】
従って、燃料タンク１２は、地盤１０の水位上昇に応じてそれ自体の浮力によりガイド円筒１１に沿って上昇する。そのため、津波、河川の氾濫、大雨などの水害が発生しても、燃料タンク１２は、ガイド円筒１１内で水に浮かんで保持されることから、この燃料タンク１２の破損や流出などを防止することができ、安全性の向上を図ることができる。
【００７３】
また、実施例４の燃料タンク装置では、燃料タンク１２は、ガイド円筒１１の内部で、複数の脚部６１により地盤１０に支持されている。従って、ガイド円筒１１の内部にフランジ部などを設ける必要なく、燃料タンク１２を開口部２３より上方に支持することができ、構造の簡素化を可能とすることができる。
【実施例５】
【００７４】
図７は、本発明の実施例５に係る燃料タンク装置を表す正面図である。なお、上述した実施例と同様の機能を有する部材には、同一の符号を付して詳細な説明は省略する。
【００７５】
実施例５の燃料タンク装置は、図７に示すように、ガイド円筒１１と、燃料タンク１２と、上昇装置として燃料タンク１２の内部に収容される燃料と空気によって発生する浮力とから構成している。
【００７６】
ガイド円筒１１は、リング形状をなす水平な支持板７１上に固定され、この支持板７１は、複数の脚部７２により地盤１０に支持されている。また、ガイド円筒１１は、内部に燃料タンク１２が配置され、この燃料タンク１２は、このガイド円筒１１に沿って昇降自在に支持されている。支持板７１中央部に円形をなす開口部７３が形成されている。燃料タンク１２は、ガイド円筒１１内で下部が支持板７１に載置されることで、この燃料タンク１２より下方に開口部７３が位置することとなる。
【００７７】
従って、地盤１０に水が浸入していない状態では、燃料タンク１２がガイド円筒１１内で、下部が支持板７１に載置された位置で停止している。そのため、この状態で、燃料タンク１２は、内部の燃料がフレキシブル配管２４から発電機に供給可能となっている。
【００７８】
一方、地盤１０に水が浸入すると、この水は開口部７３からガイド円筒１１内に浸入し、この開口部７３より上方に位置する燃料タンク１２の下部に圧力として作用する。この場合、燃料タンク１２は、内部に収容された燃料と空気により水に対する浮力が発生することから、地盤１０の水位上昇、つまり、ガイド円筒１１内の水位上昇に応じて上昇することとなる。そのため、燃料タンク１２は、ガイド円筒１１内で上昇した位置に保持される。
【００７９】
このように実施例５の燃料タンク装置にあっては、地盤１０に支持板７１及び脚部７２を介して立設されたガイド円筒１１と、このガイド円筒１１に沿って昇降自在に支持される燃料タンク１２と、地盤１０の水位上昇に応じて燃料タンク１２を上昇させる上昇装置とを設け、この上昇装置を、燃料タンク１２の内部に収容される燃料と空気により、この燃料タンク１２の比重が水より小さくなって浮力が発生するように構成している。
【００８０】
従って、燃料タンク１２は、地盤１０の水位上昇に応じてそれ自体の浮力によりガイド円筒１１に沿って上昇する。そのため、津波、河川の氾濫、大雨などの水害が発生しても、燃料タンク１２は、ガイド円筒１１内で水に浮かんで保持されることから、この燃料タンク１２の破損や流出などを防止することができ、安全性の向上を図ることができる。
【００８１】
また、実施例５の燃料タンク装置では、ガイド円筒１１を支持板７１上に固定し、この支持板７１を複数の脚部７２により地盤１０に支持し、支持板７１に開口部７３を形成している。従って、ガイド円筒１１に開口部を設ける必要なく、燃料タンク１２を開口部７３より上方に支持することができ、構造の簡素化を可能とすることができる。
【００８２】
なお、燃料タンク１２より下方に開口部を設ける場合、ガイド円筒１１に開口部２３を設けたり、支持板７１に開口部７３を設ける構成に限定されるものではなく、ガイド円筒１１の下部に直接複数の脚部を設けたりしてもよい。
【実施例６】
【００８３】
図８は、本発明の実施例６に係る燃料タンク装置を表す正面図である。なお、上述した実施例と同様の機能を有する部材には、同一の符号を付して詳細な説明は省略する。
【００８４】
実施例６の燃料タンク装置は、図８に示すように、ガイド円筒１１と、燃料タンク１２と、上昇装置としてエアタンク８１とから構成している。
【００８５】
このエアタンク８１は、硬質又は軟質の中空体内に空気が充填されて構成されており、燃料タンク１２の上部に固定されている。なお、エアタンク８１の内部の気体は、空気に限らず、例えば、窒素などの不活性ガスなどであってもよい。
【００８６】
従って、地盤１０に水が浸入していない状態では、燃料タンク１２がガイド円筒１１内で、フランジ部２２に載置された位置で停止している。そのため、この状態で、燃料タンク１２は、内部の燃料がフレキシブル配管２４から発電機に供給可能となっている。
【００８７】
一方、地盤１０に水が浸入すると、この水は複数の開口部２３からガイド円筒１１内に浸入し、この開口部２３より上方に位置する燃料タンク１２に圧力として作用する。この場合、燃料タンク１２は、エアタンク８１内の空気により水に対する浮力が発生することから、地盤１０の水位上昇、つまり、ガイド円筒１１内の水位上昇に応じて上昇することとなる。そのため、燃料タンク１２は、ガイド円筒１１内で上昇した位置に保持される。
【００８８】
このように実施例６の燃料タンク装置にあっては、地盤１０に立設されたガイド円筒１１と、このガイド円筒１１に沿って昇降自在に支持される燃料タンク１２と、燃料タンク１２に固定されたエアタンク８１とから構成されている。
【００８９】
従って、燃料タンク１２は、地盤１０の水位上昇に応じてエアタンク８１の浮力によりガイド円筒１１に沿って上昇する。そのため、津波、河川の氾濫、大雨などの水害が発生しても、燃料タンク１２はガイド円筒１１内で水に浮かんで保持されることから、この燃料タンク１２の破損や流出などを防止することができ、安全性の向上を図ることができる。
【００９０】
なお、この実施例６では、上昇装置としてエアタンク８１を適用したが、実施例１〜５と同様に、燃料タンク１２内の燃料と空気により発生する浮力と兼用してもよい。この構成により、燃料タンク１２内の燃料の種類や量（空気の量）に左右されずに浮力を確保することができる一方、エアタンク８１の小型化を可能とすることができる。また、エアタンク８１は、燃料タンク１２の上部に限らず、下部や側部に固定してもよい。
【実施例７】
【００９１】
図９は、本発明の実施例７に係る燃料タンク装置を表す正面図である。なお、上述した実施例と同様の機能を有する部材には、同一の符号を付して詳細な説明は省略する。
【００９２】
実施例７の燃料タンク装置は、図９に示すように、ガイド円筒１１と、燃料タンク１２
と、上昇装置として牽引装置９１とから構成している。
【００９３】
この牽引装置９１は、燃料タンク１２をガイド円筒１１内で上昇させるものであり、巻取ローラ９２を正逆回転可能な駆動モータ９３と、巻取ローラ９２から繰り出されるロープ９４と、ロープ９４を案内するガイドローラ９５と、ロープ９４を燃料タンク１２に連結する連結具９６とから構成されている。そして、燃料タンク１２は、水位センサ９７が装着されており、駆動モータ９３は、この水位センサ９７の検出結果に応じて駆動可能となっている。
【００９４】
従って、地盤１０に水が浸入していない状態では、燃料タンク１２がガイド円筒１１内で、フランジ部２２に載置された位置で停止している。そのため、この状態で、燃料タンク１２は、内部の燃料がフレキシブル配管２４から発電機に供給可能となっている。
【００９５】
一方、地盤１０に水が浸入すると、この水は複数の開口部２３からガイド円筒１１内に浸入し、この開口部２３より上方に位置する燃料タンク１２に圧力として作用する。このとき、水位センサ９７は、水位が燃料タンク１２まで到達したことを検知し、駆動モータ９３が駆動する。すると、巻取ローラ９２が正回転してロープ９４を巻取り、このロープ９４を介して燃料タンク１２を上昇させる。即ち、水位センサ９７が水位を検出すると、駆動モータ９３により巻取ローラ９２を正回転させることから、燃料タンク１２は、地盤１０の水位上昇、つまり、ガイド円筒１１内の水位上昇に応じて上昇することとなる。そのため、燃料タンク１２は、ガイド円筒１１内で上昇した位置に保持される。
【００９６】
その後、地盤１０に水がなくなると、ガイド円筒１１内の水が複数の開口部２３から外部に排出されて水位が低下することから、水位センサ９７が水位を検出せず、駆動モータ９３により巻取ローラ９２を逆回転させ、燃料タンク１２は、ガイド円筒１１内の水位低下に応じて下降することとなり、下部がフランジ部２２に載置された位置で停止する。
【００９７】
このように実施例７の燃料タンク装置にあっては、地盤１０に立設されたガイド円筒１１と、このガイド円筒１１に沿って昇降自在に支持される燃料タンク１２と、燃料タンク１２を水位の上昇に応じて上昇させる牽引装置９１とから構成されている。
【００９８】
従って、燃料タンク１２は、地盤１０の水位上昇に応じて牽引装置９１が作動してガイド円筒１１に沿って上昇する。そのため、津波、河川の氾濫、大雨などの水害が発生しても、燃料タンク１２はガイド円筒１１内で水に浮かんで保持されることから、この燃料タンク１２の破損や流出などを防止することができ、安全性の向上を図ることができる。
【００９９】
なお、この実施例７では、上昇装置として牽引装置９１を適用したが、実施例１〜５と同様に、燃料タンク１２内の燃料と空気により発生する浮力と兼用してもよい。この構成により、燃料タンク１２内の燃料の種類や量（空気の量）に左右されずに浮力を確保することができる一方、牽引装置９１の小型化を可能とすることができる。
【実施例８】
【０１００】
図１０は、本発明の実施例８に係る燃料タンク装置を表す正面図である。なお、上述した実施例と同様の機能を有する部材には、同一の符号を付して詳細な説明は省略する。
【０１０１】
実施例８の燃料タンク装置は、図１０及び図１１に示すように、地盤１０に立設されたガイド部材としてのガイド柱１０１と、このガイド柱１０１に沿って昇降自在に支持される燃料タンク１２と、上昇装置として燃料タンク１２の内部に収容される燃料と空気によって発生する浮力とから構成している。
【０１０２】
ガイド柱１０１は、複数（本実施例では、４つ）周方向に沿って均等間隔に配置され、リング形状をなす支持リング１０２により固定されている。この４つのガイド柱１０１は、リング形状をなす水平な支持板１０３上に鉛直方向に沿って立設され、この支持板１０３は、複数の脚部１０４により地盤１０上に設置されている。燃料タンク１２は、外面部が４つのガイド柱１０１の内側で昇降自在に支持されている。また、支持板１０３は、中央部に開口部１０５が形成されている。
【０１０３】
従って、地盤１０に水が浸入していない状態では、燃料タンク１２が各ガイド柱１０１内で、下部が支持板１０３に載置された位置で停止している。そのため、この状態で、燃料タンク１２は、内部の燃料がフレキシブル配管２４を通して発電機に供給可能となっている。
【０１０４】
一方、地盤１０に水が浸入すると、この水は開口部１０５から燃料タンク１２の下部に圧力として作用する。この場合、燃料タンク１２は、内部に収容された燃料と空気により水に対する浮力が発生することから、地盤１０の水位上昇に応じて上昇することとなる。そのため、燃料タンク１２は、各ガイド柱１０１に支持されながら上昇した位置に保持され、燃料タンク１２は、内部の燃料をフレキシブル配管２４から発電機に供給することができる。
【０１０５】
このように実施例８の燃料タンク装置にあっては、地盤１０に脚部１０４及び支持板１０３を介して立設された複数のガイド柱１０１と、この各ガイド柱１０１に沿って昇降自在に支持される燃料タンク１２と、地盤１０の水位上昇に応じて燃料タンク１２を上昇させる上昇装置とを設け、この上昇装置を、燃料タンク１２の内部に収容される燃料と空気により、この燃料タンク１２の比重が水より小さくなって浮力が発生するように構成している。
【０１０６】
従って、燃料タンク１２は、地盤１０の水位上昇に応じてそれ自体の浮力により各ガイド柱１０１に沿って上昇する。そのため、津波、河川の氾濫、大雨などの水害が発生しても、燃料タンク１２は、ガイド円筒１１内で水に浮かんで保持されることから、この燃料タンク１２の破損や流出などを防止することができ、安全性の向上を図ることができる。
【０１０７】
また、実施例８の燃料タンク装置では、燃料タンク１２を複数のガイド柱１０１に沿って上昇可能としている。従って、津波などの発生時に、各ガイド柱１０１に作用する水の抵抗を軽減することができ、構造物としての簡素化を可能とすることができる。
【０１０８】
なお、この実施例８にて、支持板１０３に開口部１０５を形成したが、水は各ガイド柱１０１の間から浸入するため、特に設けなくてもよいものである。
【符号の説明】
【０１０９】
１１  ガイド円筒（ガイド部材）
１２  燃料タンク（上昇装置）
２２  フランジ部
２３，７３，１０５  開口部
２４，３４  フレキシブル配管
３３  発電機
５１  ガイドローラ
５２  配管
７１，１０３  支持板
７２，１０４  脚部
８１  エアタンク（上昇装置）
９１  牽引装置（上昇装置）
９７  水位センサ
１０１  ガイド柱（ガイド部材）
【図１】
2013047112.tif 000003
【図２】
2013047112.tif 000004
【図３】
2013047112.tif 000005
【図４】
2013047112.tif 000006
【図５】
2013047112.tif 000007
【図６】
2013047112.tif 000008
【図７】
2013047112.tif 000009
【図８】
2013047112.tif 000010
【図９】
2013047112.tif 000011
【図１０】
2013047112.tif 000012
【図１１】
2013047112.tif 000013